(57)【要約】【課題】  現用伝送路と予備系伝送路とが設けられているネットワークにおいて、伝送路の帯域を効率的に使用する。【解決手段】  中継所Ａについて説明するとネットワークセンタ１は中継所Ａ向けの重要度の高いパケットを現用伝送路Ａ−１により中継所Ａに伝送する。同時に、ネットワークセンタ１は中継所Ａ向けの重要度の低いパケットを予備系伝送路Ａ−２→予備系伝送路Ａ−３→予備系伝送路Ａ−４→予備系伝送路Ａ−５のルートで中継所Ａに伝送する。これにより、中継所Ａにおける伝送帯域を２倍確保することができる。【選択図】  図１
2005101898.tif 000002
【特許請求の範囲】
【請求項１】
ネットワークセンタと複数の中継所とをループ状に接続してなり、前記ネットワークセンタと前記複数の中継所の間における伝送する方向が逆の関係とされる現用伝送路と障害時用の予備系伝送路とが構成されているネットワークであって、
前記ネットワークセンタと前記複数の中継所の間において、前記現用伝送路を用いて重要度の高いデータの伝送を行うと共に、前記予備系伝送路を用いて重要度の低いデータの伝送を行うようにしたことを特徴とするネットワーク。
【請求項２】
前記ネットワークセンタは交換機を備え、交換機から前記複数の中継所向けの重要度が異なるデータが混在しているデータから重要度の高いデータを振り分けて前記現用伝送路側へ送り出し、振り分けた重要度の低いデータを予備系伝送路側へ送り出すと共に、前記現用伝送路からの重要度の高いデータと前記予備系伝送路からの重要度の低いデータとを合成して前記交換機へ送り出していることを特徴とする請求項１記載のネットワーク。
【請求項３】
隣接する前記中継所間に分岐ネットワークを備えることが可能とされ、該分岐ネットワークには複数のスイッチ装置が縦続接続可能とされ、前記ネットワークセンタと前記スイッチ装置の間において、前記現用伝送路を用いて重要度の高いデータの伝送を行うと共に、前記予備系伝送路を用いて重要度の低いデータの伝送を行うようにしたことを特徴とする請求項１記載のネットワーク。
【請求項４】
前記分岐ネットワークにおける前記スイッチ装置は移動通信網の基地局を収容しており、前記スイッチ装置は、前記現用伝送路側からの重要度の高いデータと前記予備系伝送路側からの重要度の低いデータを合成して前記基地局へ送り出すと共に、前記基地局からの重要度が異なるデータが混在しているデータから重要度の高いデータを振り分けて前記現用伝送路側へ送り出し、振り分けた重要度の低いデータを予備系伝送路側へ送り出していることを特徴とする請求項３記載のネットワーク。
【請求項５】
前記スイッチ装置は、前記基地局からのバースト的なトラフィックを吸収するバッファメモリを備えていることを特徴とする請求項４記載のネットワーク。
【発明の詳細な説明】
【技術分野】
【０００１】
本発明は、現用伝送路と障害時用の予備系伝送路とが設けられているループ状のネットワークに関する。
【背景技術】
【０００２】
ネットワークを構成している高速伝送速度の線路に障害が生じても通信が不能となることを防止するために、出願人は特願２００２−１６６９２７号として、ネットワークセンタと複数の中継所とをループ状に接続して、複数の中継所とネットワークセンタの間を伝送する方向が逆の関係とされる現用伝送路と障害時用の予備系伝送路とを備えるネットワークを提案している。
このようなネットワークにおいては、障害時には予備系伝送路を用いて通信を行うようにしているため、線路の障害を回避することができるようになる。この場合、ネットワークセンタと中継所との間、中継所と中継所との間には現用伝送路と予備系伝送路とが設けられているが、現用伝送路から予備系伝送路に切り換えられた際同容量の伝送帯域を確保するために、現用伝送路の帯域と予備系伝送路の帯域とは同じ容量の伝送帯域とされている。しかしながら、予備系伝送路の帯域は障害時という希な時には使用されるものの通常では使われずに準備されているだけであり、伝送路を効率的に使用していないという問題点があった。
【発明の開示】
【発明が解決しようとする課題】
【０００３】
そこで、本発明は、現用伝送路と予備系伝送路とが設けられているネットワークにおいて、伝送路の帯域を効率的に使用することのできるネットワークを提供することを目的としている。
【課題を解決するための手段】
【０００４】
本発明は、現用伝送路を用いて重要度の高いデータの伝送を行うと共に、予備系伝送路を用いて重要度の低いデータの伝送を行うようにしたことを最も主要な特徴としている。
【発明の効果】
【０００５】
本発明のネットワークは、現用伝送路を用いて重要度の高いデータの伝送を行うと共に、前記予備系伝送路を用いて重要度の低いデータの伝送を行うようにしたので、予備系伝送路を効率的に使用することができる。これにより、現用伝送路の最大２倍の帯域を使用することができるため、バースト的にトラフィックが上昇しても処理することができ、データのオーバフローを防止することができる。
【発明を実施するための最良の形態】
【０００６】
現用伝送路と予備系伝送路とが設けられているネットワークにおいて、伝送路の帯域を効率的に使用するという目的を、現用伝送路を用いて重要度の高いデータの伝送を行うと共に、予備系伝送路を用いて重要度の低いデータの伝送を行うことで実現した。
【０００７】
本発明の実施例のネットワークの概略構成を図１に示す。
図１に示すように、本発明にかかるネットワークは、ネットワークセンタ１、中継所Ａ、中継所Ｂ、中継所Ｃ、中継所Ｄがループ状に接続されて構成されている。ネットワークセンタ１と中継所Ａとの間は現用伝送路Ａ−１，Ｂ−１，Ｃ−１，Ｄ−１からなる伝送路ＴＬ１により接続されており、中継所Ａと中継所Ｂとの間は現用伝送路Ｂ−２，Ｃ−２，Ｄ−２と予備系伝送路Ａ−２からなる伝送路ＴＬ２により接続されている。また、中継所Ｂと中継所Ｃとの間は現用伝送路Ｃ−３，Ｄ−３と予備系伝送路Ａ−３，Ｂ−３からなる伝送路ＴＬ３により接続されており、中継所Ｃと中継所Ｄとの間は現用伝送路Ｄ−４と予備系伝送路Ａ−４，Ｂ−４，Ｃ−４からなる伝送路ＴＬ４により接続されている。中継所Ｄとネットワークセンタ１との間は、予備系伝送路Ａ−５，Ｂ−５，Ｃ−５，Ｄ−５からなる伝送路ＴＬ５により接続されている。
【０００８】
これらの伝送路ＴＬ１〜ＴＬ５の物理的な回線は、例えば高速伝送可能な光ファイバとされている。図示する例においては現用伝送路は反時計回りの上り経路とされ、予備系伝送路は時計回りの上り経路とされている。また、各現用伝送路の伝送帯域および各予備系伝送路の伝送帯域にはそれぞれ等しい伝送帯域（たとえば、１５０Ｍｂ／ｓ）が割り当てられている。中継所Ａの伝送路は、通常は現用伝送路Ａ−１の伝送帯域によりネットワークセンタ１に運ばれている。そして、ネットワークセンタ１と中継所Ａ間に障害が生じた際には、予備系伝送路Ａ−２→予備系伝送路Ａ−３→予備系伝送路Ａ−４→予備系伝送路Ａ−５の予備系伝送路に現用伝送路Ａ−１から切り換えられて伝送路帯域を常に確保している。さらに、中継所Ｂの伝送路は、通常は現用伝送路Ｂ−２→現用伝送路Ｂ−１の伝送帯域によりネットワークセンタ１に運ばれている。そして、ネットワークセンタ１と中継所Ｂ間が生じた際には、予備系伝送路Ｂ−３→予備系伝送路Ｂ−４→予備系伝送路Ｂ−５の予備系伝送路に現用伝送路Ｂ−２，Ｂ−２から切り換えられて伝送路帯域を常に確保している。
【０００９】
さらにまた、中継所Ｃの伝送路は、通常は現用伝送路Ｃ−３→現用伝送路Ｃ−２→現用伝送路Ｃ−１の伝送帯域によりネットワークセンタ１に運ばれている。また、ネットワークセンタ１と中継所Ｃ間が生じた際には、予備系伝送路Ｃ−４→予備系伝送路Ｃ−５の予備系伝送路に現用伝送路Ｃ−１，Ｃ−２，Ｃ−３から切り換えられて伝送路帯域を常に確保している。さらにまた、中継所Ｄの伝送路は、通常は現用伝送路Ｄ−４→現用伝送路Ｄ−３→現用伝送路Ｄ−２→現用伝送路Ｄ−１の伝送帯域によりネットワークセンタ１に運ばれている。また、ネットワークセンタ１と中継所Ｄ間の障害が生じた際には、予備系伝送路Ｄ−５の予備系伝送路に現用伝送路Ｄ−１，Ｄ−２，Ｄ−３，Ｄ−４から切り換えられて伝送路帯域を常に確保している。
【００１０】
本発明のネットワークにおいては、現用伝送路を用いて重要度の高いデータを伝送し、同時に予備系伝送路を用いて重要度の低いデータを伝送することを特徴としている。すなわち、中継所Ａについて説明するとネットワークセンタ１は中継所Ａ向けの重要度の高いパケットを現用伝送路Ａ−１により中継所Ａに伝送する。同時に、ネットワークセンタ１は中継所Ａ向けの重要度の低いパケットを予備系伝送路Ａ−２→予備系伝送路Ａ−３→予備系伝送路Ａ−４→予備系伝送路Ａ−５のルートで中継所Ａに伝送する。これにより、中継所Ａにおける伝送帯域を２倍確保することができる。中継所Ｂないし中継所Ｄにおいても同様とされている。本発明のネットワークにおいては、現用伝送路により重要度の高いデータを伝送し同時に予備系伝送路により重要度の低いデータを伝送することにより、中継所Ａに限らずネットワーク中の全ての中継所において２倍の伝送帯域を確保することができる。ただし、現用伝送路に障害が発生して伝送路が予備系伝送路に切り替わっている場合は、重要度の高いデータは予備系伝送路により伝送され、全ての低重要度パケットは破棄されることとなる。
【００１１】
ところで、各中継所間には伝送路ＴＬ１〜ＴＬ５とは別に分岐ネットワークを設けることができる。図２は中継所Ｃと中継所Ｄとの間に設けられた分岐ネットワークの伝送路に注目して本発明のネットワークの構成を示す図である。図２において、中継所Ｃの第１選択部１２ａの低速側の一つの伝送路と中継所Ｄの第２選択部１３ｂの低速側の一つの伝送路との間に分岐ネットワークが設けられており、この分岐ネットワークによりそれぞれ基地局を収容しているスイッチ部ＡＴＭ−ａ、スイッチ部ＡＴＭ−ｂ、スイッチ部ＡＴＭ−ｃ、スイッチ部ＡＴＭ−ｄが縦続接続されている。すなわち、スイッチ部ＡＴＭ−ａは中継所Ｃの第１選択部１２ａと伝送路Ｌ５により接続されており、スイッチ部ＡＴＭ−ａとスイッチ部ＡＴＭ−ｂとは伝送路Ｌ６で接続されており、スイッチ部ＡＴＭ−ｂとスイッチ部ＡＴＭ−ｃとは伝送路Ｌ７で接続されており、スイッチ部ＡＴＭ−ｃとスイッチ部ＡＴＭ−ｄとは伝送路Ｌ８で接続されており、スイッチ部ＡＴＭ−ｄは中継所Ｄの第２選択部１３ｂに伝送路Ｌ９で接続されている。
【００１２】
そして、スイッチ部ＡＴＭ−ａには入伝送路ＬＩ３を介して基地局ａが収容されており、スイッチ部ＡＴＭ−ｂには入伝送路ＬＩ４を介して基地局ｂが収容されており、スイッチ部ＡＴＭ−ｃには入伝送路ＬＩ５を介して基地局ｃが収容されており、スイッチ部ＡＴＭ−ｄには入伝送路ＬＩ６を介して基地局ｄが収容されている。なお、各中継所における第１選択部および第２選択部は図２に示す中継所Ａのように高速側と低速側を有しており、高速側は１つの細長い矩形で示されて１つの伝送路を備え、低速側は４つの矩形で示されて４つの伝送路を備えている。高速側の最大伝送速度は、例えば６００Ｍｂ／ｓとされ低速側のそれぞれの伝送路の最大伝送速度は１５０Ｍｂ／ｓとされている。
【００１３】
図２に示すネットワークセンタ１の構成において、図示されている伝送路は中継所Ｃと中継所Ｄとの間に設けられている分岐ネットワークに送る伝送路が示されている。ネットワークセンタ１は交換機２を有し、交換機２からスイッチ部ＡＴＭ−Ａの低速側に入る２本の入伝送路ＬＩ１および入伝送路ＬＩ２をそれぞれ介して、スイッチ部ＡＴＭ−Ａに重要度の異なるパケット化されたデータが混在して流れ込んで来る。このパケット化されたデータは、中継所Ｃと中継所Ｄとの間に設けられている分岐ネットワークに送るデータである。交換機２からスイッチ部ＡＴＭ−Ａに入る基地局向け伝送路は、伝送速度が１５０Ｍｂ／ｓや６００Ｍｂ／ｓ等の伝送路がＮ本用意されている。入伝送路ＬＩ１および入伝送路ＬＩ２に流れるパケット化されたデータの最大伝送速度は、例えば最大１３５Ｍｂ／ｓとされている。スイッチ部ＡＴＭ−Ａには、入力されたデータ化されたパケットを、重要度の高いパケット（以下、「高重要度パケット」という）のみ伝送路Ｌ１に振り分け、重要度の低いパケット（以下、「低重要度パケット」という）を伝送路Ｌ２に振り分けるパケットグレードによる伝送路分割機能が備えられている。伝送路Ｌ１と伝送路Ｌ２におけるパケットの最大伝送速度は、例えば最大１３５Ｍｂ／ｓとされている。各パケットの重要度は、パケットにヘッダ情報として付加されており、スイッチ部ＡＴＭ−Ａは各パケットのヘッダを見ることにより、その重要度に応じて伝送路Ｌ１と伝送路Ｌ２のいずれかに各パケットを振り分けている。ただし、伝送路ＴＬ１〜ＴＬ５の障害等により現用伝送路から予備系伝送路に切り替わっている場合は、高重要度パケットを伝送路Ｌ２に送り出すため、全ての低重要度パケットはスイッチ部ＡＴＭ−Ａにおいて破棄されることになる。
【００１４】
また、基地局から来たパケットを交換機２にスイッチ部ＡＴＭ−Ａを通って送り込む場合は、伝送路Ｌ１から高重要度パケットが入力され、伝送路Ｌ２から低重要度パケットが入力されることになる。これらのパケットは、パケットのヘッダを読むことにより合成した高重要度パケットと低重要度パケットが混在したパケットを宛先の交換機２等へ向けて入伝送路ＬＩ１や入伝送路ＬＩ２等に送り出す伝送路合成機能がスイッチ部ＡＴＭ−Ａに備えられている。
【００１５】
伝送路Ｌ１を介して選択部３に流れ込んだ高重要度パケットは、選択部３から伝送路ＴＬ１に送り出される。また、伝送路Ｌ２を介して選択部３に流れ込んだ低重要度パケットは、選択部３から伝送路ＴＬ５に送り出される。すなわち、伝送路Ｌ１を介して選択部３に流れ込んだ高重要度パケットは選択部３から現用伝送路に送り出され、伝送路Ｌ１を介して選択部３に流れ込んだ低重要度パケットは選択部３から予備系伝送路に送り出される。伝送路ＴＬ１に送り出された高重要度パケットは中継所Ａの第１選択部１０ａと第２選択部１０ｂ間に設けられている伝送路Ｌ３を介して中継所Ａから伝送路ＴＬ２に送り出される。伝送路ＴＬ２に送り出された高重要度パケットは中継所Ｂの第１選択部１１ａと第２選択部１１ｂ間に設けられている伝送路Ｌ４を介して中継所Ｂから伝送路ＴＬ３に送り出される。伝送路ＴＬ３に送り出された高重要度パケットは中継所Ｃの第１選択部１２ａで分岐されて伝送路Ｌ５を介して中継所Ｃと中継所Ｄとの間に設けられている分岐ネットワークに送られる。また、分岐ネットワークからの高重要度パケットは、この逆のルートによりネットワークセンタ１の選択部３に送られるようになる。なお、選択部３から送り出された高重要度パケットは論理的には、現用伝送路Ｄ−１→中継所Ａ→現用伝送路Ｄ−２→中継所Ｂ→現用伝送路Ｄ−３→中継所Ｃ→伝送路Ｌ５のルートで中継所Ｃと中継所Ｄとの間に設けられている分岐ネットワークに送られる。
【００１６】
また、伝送路Ｌ２を介して選択部３に流れ込んだ低重要度パケットは、中継所Ｄの第２選択部１３ｂで分岐されて伝送路Ｌ９を介して中継所Ｃと中継所Ｄとの間に設けられている分岐ネットワークに送られる。また、分岐ネットワークからの低重要度パケットは、この逆のルートによりネットワークセンタ１の選択部３に送られるようになる。なお、選択部３から送り出された低重要度パケットは論理的には、予備系伝送路Ｄ−５→中継所Ｄ→伝送路Ｌ９のルートで中継所Ｃと中継所Ｄとの間に設けられている分岐ネットワークに送られる。
【００１７】
中継所Ｃと中継所Ｄとの間に設けられている分岐ネットワークに縦続接続されているそれぞれ基地局を収容しているスイッチ部ＡＴＭ−ａないしスイッチ部ＡＴＭ−ｄが基地局ａないし基地局ｄとの間において確保できる伝送帯域について図３を参照して説明する。図３は、図２において中継所Ｃと中継所Ｄとの間に設けられている分岐ネットワークの構成を抽出して示す図である。図３に示すように、分岐ネットワークを構成しているスイッチ部ＡＴＭ−ａに流れ込んで来る基地局ａ向けのパケットとしては、伝送路Ｌ５から高重要度パケットが到着すると共に、伝送路Ｌ６から低重要度パケットが到着する。スイッチ部ＡＴＭ−ａは、これらの両方のパケットを合成して、入伝送路ＬＩ３を介して基地局ａに流し込む伝送路合成機能を有している。また、基地局ａからのネットワークセンタ１の交換機２向けのパケットは重要度の異なるパケットが混在した状態の最大１３５Ｍｂ／ｓのパケット量が入伝送路ＬＩ３を通ってスイッチ部ＡＴＭ−ａに流れ込んでくる。スイッチ部ＡＴＭ−ａは各パケットのヘッダを見ることにより高重要度パケットを振り分け、割り当てられた伝送路Ｌ５の伝送帯域（例えば、３０Ｍｂ／ｓ）に送り出す。また、スイッチ部ＡＴＭ−ａは各パケットのヘッダを見ることにより振り分けた低重要度パケットを伝送路Ｌ６へ送り出している。この場合、基地局ａからのネットワークセンタ１の交換機２へ送り出す最大パケット量は入伝送路ＬＩ３の最大伝送速度に等しくなるが、入伝送路ＬＩ３の最大伝送速度は、割り当てられた伝送路Ｌ５の伝送速度と伝送路Ｌ６の伝送速度とを加算した伝送速度を超える場合がある。このため、送り出し不可によるパケット破棄を極力少なくするように、スイッチ部ＡＴＭ−ａには、バースト的なトラフィックが生じた際にパケットを一次格納しておくための可能な限り大型のバーストトラフィック対策用のバッファメモリが備えられている。なお、伝送路Ｌ５から伝送路ＴＬ１までの間の障害等により現用伝送路から予備系伝送路に切り替わっている場合は、高重要度パケットを伝送路Ｌ６に送り出すため、全ての低重要度パケットはスイッチ部ＡＴＭ−ａにおいて破棄されることになる。
【００１８】
分岐ネットワークを構成しているスイッチ部ＡＴＭ−ｂに流れ込んで来る基地局ｂ向けのパケットとしては、伝送路Ｌ６から高重要度パケットが到着すると共に、伝送路Ｌ７から低重要度パケットが到着する。スイッチ部ＡＴＭ−ｂは、これらの両方のパケットを合成して、入伝送路ＬＩ４を介して基地局ｂに流し込む伝送路合成機能を有している。さらに、基地局ｂからのネットワークセンタ１の交換機２向けのパケットは重要度が異なるパケットが混在した状態で、最大１３５Ｍｂ／ｓのパケット量が入伝送路ＬＩ４を通ってスイッチ部ＡＴＭ−ｂに流れ込んでくる。スイッチ部ＡＴＭ−ｂは各パケットのヘッダを見ることにより高重要度パケットを振り分け、割り当てられた伝送路Ｌ６の伝送帯域（例えば、２０Ｍｂ／ｓ）に送り出す。また、スイッチ部ＡＴＭ−ｂは各パケットのヘッダを見ることにより振り分けた低重要度パケットを伝送路Ｌ７へ送り出している。この場合、基地局ｂからのネットワークセンタ１の交換機２へ送り出す最大パケット量は入伝送路ＬＩ４の最大伝送速度に等しくなるが、入伝送路ＬＩ４の最大伝送速度は、割り当てられた伝送路Ｌ６の伝送速度と伝送路Ｌ７の伝送速度とを加算した伝送速度を超える場合があるため、送り出し不可によるパケット破棄を極力少なくするために、スイッチ部ＡＴＭ−ｂには、バースト的なトラフィックが生じた際にパケットを一次格納しておくための可能な限り大型のバーストトラフィック対策用のバッファメモリが備えられている。なお、伝送路Ｌ６から伝送路ＴＬ１までの間の障害等により現用伝送路から予備系伝送路に切り替わっている場合は、高重要度パケットを伝送路Ｌ７に送り出すため、全ての低重要度パケットはスイッチ部ＡＴＭ−ｂにおいて破棄されることになる。
【００１９】
分岐ネットワークを構成しているスイッチ部ＡＴＭ−ｃに流れ込んで来る基地局ｃ向けのパケットとしては、伝送路Ｌ７から高重要度パケットが到着すると共に、伝送路Ｌ８から低重要度パケットが到着する。スイッチ部ＡＴＭ−ｃは、これらの両方のパケットを合成して、入伝送路ＬＩ５を介して基地局ｃに流し込む伝送路合成機能を有している。さらに、基地局ｃからのネットワークセンタ１の交換機２向けのパケットは重要度が異なるパケットが混在した状態で、最大１３５Ｍｂ／ｓのパケット量が入伝送路ＬＩ５を通ってスイッチ部ＡＴＭ−ｃに流れ込んでくる。スイッチ部ＡＴＭ−ｃは各パケットのヘッダを見ることにより高重要度パケットを振り分け、割り当てられた伝送路Ｌ７の伝送帯域（例えば、３０Ｍｂ／ｓ）に送り出す。また、スイッチ部ＡＴＭ−ｃは各パケットのヘッダを見ることにより振り分けた低重要度パケットを伝送路Ｌ８へ送り出している。この場合、基地局ｃからのネットワークセンタ１の交換機２へ送り出す最大パケット量は入伝送路ＬＩ５の最大伝送速度に等しくなるが、入伝送路ＬＩ５の最大伝送速度は、割り当てられた伝送路Ｌ７の伝送速度と伝送路Ｌ８の伝送速度とを加算した伝送速度を超える場合があるため、送り出し不可によるパケット破棄を極力少なくするために、スイッチ部ＡＴＭ−ｃには、バースト的なトラフィックが生じた際にパケットを一次格納しておくための可能な限り大型のバーストトラフィック対策用のバッファメモリが備えられている。なお、伝送路Ｌ７から伝送路ＴＬ１までの間の障害等により現用伝送路から予備系伝送路に切り替わっている場合は、高重要度パケットを伝送路Ｌ８に送り出すため、全ての低重要度パケットはスイッチ部ＡＴＭ−ｃにおいて破棄されることになる。
【００２０】
分岐ネットワークを構成しているスイッチ部ＡＴＭ−ｄに流れ込んで来る基地局ｄ向けのパケットとしては、伝送路Ｌ８から高重要度パケットが到着すると共に、伝送路Ｌ９から低重要度パケットが到着する。スイッチ部ＡＴＭ−ｄは、これらの両方のパケットを合成して、入伝送路ＬＩ６を介して基地局ｂに流し込む伝送路合成機能を有している。さらに、基地局ｄからのネットワークセンタ１の交換機２向けのパケットは重要度が異なるパケットが混在した状態で、最大１３５Ｍｂ／ｓのパケット量が入伝送路ＬＩ６を通ってスイッチ部ＡＴＭ−ｄに流れ込んでくる。スイッチ部ＡＴＭ−ｄは各パケットのヘッダを見ることにより高重要度パケットを振り分け、割り当てられた伝送路Ｌ８の伝送帯域（例えば、４０Ｍｂ／ｓ）に送り出す。また、スイッチ部ＡＴＭ−ｄは各パケットのヘッダを見ることにより振り分けた低重要度パケットを伝送路Ｌ９へ送り出している。この場合、基地局ｄからのネットワークセンタ１の交換機２へ送り出す最大パケット量は入伝送路ＬＩ６の最大伝送速度に等しくなるが、入伝送路ＬＩ６の最大伝送速度は、割り当てられた伝送路Ｌ８の伝送速度と伝送路Ｌ９の伝送速度とを加算した伝送速度を超える場合があるため、送り出し不可によるパケット破棄を極力少なくするために、スイッチ部ＡＴＭ−ｄには、バースト的なトラフィックが生じた際にパケットを一次格納しておくための可能な限り大型のバーストトラフィック対策用のバッファメモリが備えられている。なお、伝送路Ｌ８から伝送路ＴＬ１までの間の障害等により現用伝送路から予備系伝送路に切り替わっている場合は、高重要度パケットを伝送路Ｌ９に送り出すため、全ての低重要度パケットはスイッチ部ＡＴＭ−ｄにおいて破棄されることになる。
【００２１】
基地局ａないし基地局ｄには、図示する例では高重要度パケットの伝送帯域が各々２０〜４０Ｍｂ／ｓずつ割り当てられている。ただし、ネットワークセンタ１から高重要度パケットが送り出される伝送路Ｌ１におけるパケットの最大伝送速度が、例えば最大１３５Ｍｂ／ｓとされていることから、基地局ａないし基地局ｄに割り当てられる伝送速度の合計は最大１３５Ｍｂ／ｓとなる。例えば、基地局ａには高重要度パケットの伝送帯域が３０Ｍｂ／ｓ割り当てられ、基地局ｂには高重要度パケットの伝送帯域が２０Ｍｂ／ｓ割り当てられ、基地局ｃには高重要度パケットの伝送帯域が３０Ｍｂ／ｓ割り当てられ、基地局ｄには高重要度パケットの伝送帯域が４０Ｍｂ／ｓ割り当てられている。この高重要度パケットの伝送帯域は、現用伝送路に障害が発生した際に予備系伝送路に切り換えても必ず保障される帯域である。
【００２２】
また、低重要度パケットの伝送帯域は伝送路Ｌ２および伝送路Ｌ９の最大伝送速度が、例えば最大１３５Ｍｂ／ｓとされていることから、基地局ｄでは０〜１３５Ｍｂ／ｓ割り当て可能となり、基地局ｃでは伝送路Ｌ８の最大伝送速度が、例えば最大１３５Ｍｂ／ｓとされて基地局ｄに割り当てられている高重要度パケットの伝送速度が４０Ｍｂ／ｓとされていることから、１３５−４０＝９５Ｍｂ／ｓとなり０〜９５Ｍｂ／ｓ割り当て可能となる。また、基地局ｂでは伝送路Ｌ７の最大伝送速度が、例えば最大１３５Ｍｂ／ｓとされて基地局ｄに割り当てられている高重要度パケットの伝送速度が４０Ｍｂ／ｓとされ、基地局ｃに割り当てられている高重要度パケットの伝送速度が３０Ｍｂ／ｓとされていることから、１３５−（４０＋３０）＝６５Ｍｂ／ｓとなり０〜６５Ｍｂ／ｓ割り当て可能となる。さらに、基地局ａでは伝送路Ｌ６の最大伝送速度が、例えば最大１３５Ｍｂ／ｓとされて基地局ｄに割り当てられている高重要度パケットの伝送速度が４０Ｍｂ／ｓとされ、基地局ｃに割り当てられている高重要度パケットの伝送速度が３０Ｍｂ／ｓとされ、基地局ｂに割り当てられている高重要度パケットの伝送速度が２０Ｍｂ／ｓとされていることから、１３５−（４０＋３０＋２０）＝４５Ｍｂ／ｓとなり０〜４５Ｍｂ／ｓ割り当て可能となる。すなわち、基地局ａには高重要度パケットと低重要度パケットの伝送速度を合計すると最大７５Ｍｂ／ｓの伝送帯域が割り当てられ、基地局ｂでは最大８５Ｍｂ／ｓの伝送帯域が割り当てられ、基地局ｃでは最大１２５Ｍｂ／ｓの伝送帯域が割り当てられ、基地局ｄでは最大１７５Ｍｂ／ｓの伝送帯域が割り当てられるようになる。
予備系伝送路を障害時にのみ使用するネットワークでは、２０〜４０Ｍｂ／ｓが各基地局に送れるパケット量の最大となるが、本発明にかかるネットワークでは、基地局の構成及び高重要度パケットの割り当てにもよるが、上述したように通常時には大まかには２倍〜１０倍程度の伝送帯域を確保することができる。
【００２３】
以上説明した本発明のネットワークにおいて、複数の現用伝送路および複数の予備予備系伝送路はそれぞれに所定の伝送帯域が割り当てられることにより多重化されている。また、現用伝送路を合計した伝送帯域と予備系伝送路を合計した伝送帯域とは等しくされている。
なお、例えば交換機２から基地局ａに低重要度パケットを送り出す際、予備系伝送路を利用して低重要度パケットを基地局ａに送り出すようにしていたが、高重要度パケットを伝送する現用伝送路に余裕がある場合は、低重要度パケットであっても現用伝送路を利用して、基地局ａにパケットを送り出すようにしてもよい。このようにして、低重要度パケットを伝送する伝送路を、高重要度パケットを伝送する伝送路があふれた際のオーバーフロー対策用の伝送路として利用するようにしてもよい。
【産業上の利用可能性】
【００２４】
以上の説明では、ループ状のネットワークについて説明したが、ループ状のネットワークに限らず現用伝送路と予備系伝送路とが設けられているネットワークに現用伝送路と予備系伝送路とを用いる本発明を適用することができる。
【図面の簡単な説明】
【００２５】
【図１】本発明の実施例のネットワークの概略構成を示す図である。
【図２】中継所Ｃと中継所Ｄとの間に設けられた分岐ネットワークの伝送路に注目して本発明のネットワークの構成を示す図である。
【図３】本発明のネットワークにおいて、中継所Ｃと中継所Ｄとの間に設けられた分岐ネットワークの構成を示す図である。
【符号の説明】
【００２６】
１ ネットワークセンタ
２ 交換機
３ 選択部
１０ａ，１１ａ，１２ａ，１３ａ  第１選択部
１０ｂ，１１ｂ，１２ｂ，１３ｂ  第２選択部
Ｌ１ 伝送路
Ｌ２ 伝送路
Ｌ３ 伝送路
Ｌ４ 伝送路
Ｌ５ 伝送路
Ｌ６ 伝送路
Ｌ７ 伝送路
Ｌ８ 伝送路
Ｌ９ 伝送路
ＬＩ１ 入伝送路
ＬＩ２ 入伝送路
ＬＩ３ 入伝送路
ＬＩ４ 入伝送路
ＬＩ５ 入伝送路
ＬＩ６ 入伝送路
ＴＬ１ 伝送路
ＴＬ２ 伝送路
ＴＬ３ 伝送路
ＴＬ４ 伝送路
ＴＬ５ 伝送路
ａ 基地局
ｂ 基地局
ｃ 基地局
ｄ 基地局
【図１】
2005101898.tif 000003
【図２】
2005101898.tif 000004
【図３】
2005101898.tif 000005